(57)【特許請求の範囲】
【請求項１】
第一の流体流路または該第一の流体流路に導入する流体用の第二の流体流路の表面にコイルを巻きつけ、該コイルに周波数が時間的に変化する方形波の交流電流を流し、コイルに流れる電流により誘起される変調電場により前記第一の流体流路又は第二の流体流路を流れる流体を処理することにより前記第一の流体流路を構成する壁面の錆び、スケール、その他の成分の付着防止及び／又は除去方法において、
流体の前記変調電場処理を阻害するカチオン系薬剤を除いた後に該流体に対して前記変調電場処理を行うことを特徴とする流体流路の錆び、スケール、その他の成分の付着防止及び／又は除去方法。
【請求項２】
経過時間に対して電流値が異なり、かつ周波数が時間的に変化する方形波の交流電流を流すコイルを巻いたテスト流路中に前記被処理流体を流した後、該流体を乾燥させ、乾燥後にできる結晶体粒径が小粒子化すること及び流体乾燥物の界面付近への結晶体の集合性を失うことを確認して、前記被処理流体の変調電場処理の効果の程度を判定する被処理水の机上試験を行い、
その机上試験法による結果が良くない場合には、前記流体から前記変調電場処理を阻害するカチオン薬剤を除いた後に、該流体に対して前記変調電場処理することを特徴とする請求項１記載の被処理水の流体流路の錆び、スケール、その他の成分の付着防止及び／又は除去方法。
【請求項３】
カチオン系薬剤は、界面活性剤、高分子系薬剤とリン酸塩系薬剤を含む防食剤、清缶剤、スケール防止剤、スライム防止剤、帯電防止剤、リンス（乾燥仕上）剤、床ワックス剤、消泡剤及び海生物付着防止剤から成る群から選ばれる少なくとも一つから成る薬剤であることを特徴とする請求項１又は２記載の流体流路の錆び、スケール、その他の成分の付着防止及び／又は除去方法。
【請求項４】
第一の流体流路または該第一の流体流路に導入する流体用の第二の流体流路の表面にコイルを巻きつけ、該コイルに周波数が時間的に変化する方形波の交流電流を流し、コイルに流れる電流により誘起される変調電場により前記第一の流体流路又は第二の流体流路を流れる流体を処理することにより前記第一の流体流路を構成する壁面の錆び、スケール、その他の成分の付着防止及び／又は除去方法において、
流体の前記変調電場処理を促進するアニオン系薬剤を前記流体に添加した後に前記変調電場処理することを変調電場処理を行うことを特徴とする流体流路の錆び、スケール、その他の成分付着防止及び／又は除去方法。
【請求項５】
経過時間に対して電流値が異なり、かつ周波数が時間的に変化する方形波の交流電流を流すコイルを巻いたテスト流路中に前記被処理流体を流した後、該流体を乾燥させ、乾燥後にできる結晶体粒径が小粒子化すること及び流体乾燥物の界面付近への結晶体の集合性を失うことを確認して、前記被処理流体の変調電場処理の効果の程度を判定する被処理水の机上試験を行い、
その机上試験法による結果が良くない場合には、前記流体にアニオン系薬剤を添加した後に、該流体に対して前記変調電場処理をすることを特徴とする請求項４記載の被処理水の流体流路の錆び、スケール、その他の成分の付着防止及び／又は除去方法。
【請求項６】
第一の流体流路または該第一の流体流路に導入する流体用の第二の流体流路の表面にコイルを巻きつけ、該コイルに周波数が時間的に変化する方形波の交流電流を流し、コイルに流れる電流により誘起される変調電場により前記第一の流体流路又は第二の流体流路を流れる流体を処理することにより前記第一の流体流路を構成する壁面の錆び、スケール、その他の成分の付着防止及び／又は除去方法において、
流体の前記変調電場処理を促進する炭酸ナトリウム、炭酸水素ナトリウム又は水酸化ナトリウムを前記流体に添加した後に前記変調電場処理を行うことを特徴とする流体流路の錆び、スケール、その他の成分の付着防止及び／又は除去方法。
【請求項７】
経過時間に対して電流値が異なり、かつ周波数が時間的に変化する方形波の交流電流を流すコイルを巻いたテスト流路中に前記被処理流体を流した後、該流体を乾燥させ、乾燥後にできる結晶体粒径が小粒子化すること及び流体乾燥物の界面付近への結晶体の集合性を失うことを確認して、前記被処理流体の変調電場処理の効果の程度を判定する被処理水の机上試験を行い、
その机上試験法による結果が良くない場合には、前記流体に炭酸ナトリウム、炭酸水素ナトリウム又は水酸化ナトリウムを添加した後に、該流体に前記変調電場処理をすることを特徴とする請求項６記載の被処理水の流体流路の錆び、スケール、その他の成分の付着防止及び／又は除去方法。
【請求項８】
流体が流れる第一の流体流路又は該第一の流体流路に導入する前記流体の第二の流体流路の表面に巻きつけられ、周波数が時間的に変化する方形波の交流電流を流して、変調電場を誘起させるコイルと、該コイルに前記電流を流すための制御系統を備えた電源装置を設置した前記第一の流体流路を構成する壁面の錆び、スケール、その他の付着防止及び／又は除去装置において、
流体の前記変調電場処理を促進するアニオン系薬剤、炭酸ナトリウム、炭酸水素ナトリウム又は水酸化ナトリウムを前記流体に添加する添加手段を設けたことを特徴とする流体流路の錆び、スケール、その他の成分の付着防止及び／又は除去装置。
【発明の詳細な説明】
【０００１】
【発明の属する技術分野】
本発明は、流体流路を流れる流体を変調電場処理することで、流体流路を構成する壁面の錆び、スケール、その他の成分の付着を防止及び／又は除去する方法と装置に関する。
【０００２】
【従来の技術】
従来から各種流体、例えば使用済みの工業用水、工場排水、生活排水などの流体の流路、例えば配管の壁面が錆びたり、スケールなどが付着して、場合によっては流体流路が詰ってしまうことがあった。
そこで、本発明者らは、流体流路を流れる流体を変調電場処理することで、流体流路を構成する壁面の防錆方法、該壁面に海生物が付着すること及び／又は除去する方法、前記流体流路を流れる油含有排水により前記流路壁面が詰ること等を防止する方法を開発し、特許出願（特願平１１−１５１９２号）を行った。また、本出願人は米国特許５，０７４，９９８号において、すでに流体流路を流れる流体を変調電場処理することで、流体流路を構成する壁面に付着物が付くことを防ぐ方法、該壁面に付いた付着物を除く方法について特許を取得している。
【０００３】
【発明が解決しようとする課題】
前記本発明者らの特許出願に係る発明では、流体流路を流れる流体を変調電場処理することにより、効果的に流体流路を構成する壁面の防錆等の処理が行われるが、流体の種類によっては目的とする処理が十分でない場合、または目的とする処理がほとんどできない場合があった。
また、前記本発明者らの特許出願に係る発明では、変調電場処理の効果を促進することについては配慮がされていなかった。
【０００４】
そこで、本発明の課題は前記本発明者らの先の出願発明の問題点を解決し、変調電場処理を能率良く、またその効果を促進させること及び変調電場処理を阻害する原因を究明し、解決策を講じる方法と装置を提供することである。
【０００５】
【課題を解決するための手段】
本発明の上記課題は、次の構成によって解決される。
（１）第一の流体流路または該第一の流体流路に導入する流体用の第二の流体流路の表面にコイルを巻きつけ、該コイルに周波数が時間的に変化する方形波の交流電流を流し、コイルに流れる電流により誘起される変調電場により前記第一の流体流路又は第二の流体流路を流れる流体を処理することにより前記第一の流体流路を構成する壁面の錆び、スケール、その他の成分の付着を防止及び／又は除去する方法において、次のような処理を行う。
【０００６】
（ａ）流体の前記変調電場処理を阻害するカチオン系薬剤又はその他の前記変調電場処理阻害物質（浮遊物質など）を除いた後に前記変調電場処理を行う。
（ｂ）流体の前記変調電場処理を促進するアニオン系薬剤を添加した後に前記変調電場処理を行う。
（ｃ）流体の前記変調電場処理を促進する炭酸ナトリウム、炭酸水素ナトリウム又は水酸化ナトリウムを添加した後に前記変調電場処理を行う。
（ｄ）前記（ｂ）及び（ｃ）の処理と共に又はこれとは別に前記変調電場処理用の電流値などの出力を上げる。
【０００７】
次に、例えば、被処理水用配管の内壁等にスケールが付着するメカニズムと本発明の変調電場処理法により被処理水用配管の内壁等にスケールが付着することを防止するメカニズムについて説明する。
【０００８】
まず、被処理水用配管の内壁等にスケールが付着するメカニズムを説明する。図２６に示すように被処理水に接する配管の内壁、貯槽内壁等の表面はマイナスに帯電している。被処理水中で、飽和条件下にあるスケール成分が析出して生成するスケール結晶体の表面は、通常プラスに帯電する。この互いに異符号（プラスとマイナス）の電位間の電気的引力によって前記内壁等の表面にスケール成分が付着する。
【０００９】
前記スケール成分は被処理水中に含まれる無機化合物が主体であり、ＣａＣＯ３（炭酸カルシウム）、ＣａＳＯ４（硫酸カルシウム）である。ただし、単体無機化合物としてのスケール結晶体はほとんど無く、例えばシリカスケールではＳｉＯ２（シリカ）を主体として、Ｃａ、Ｍｇ、Ａｌ等の金属類を含み、共有結合またはイオン結合している。また、ＣａＣＯ３単結合としてのスケール結晶体は少なく、ほとんどが１０〜１００個またはそれ以上の結晶の集合体である。前記結晶の集合体を形成する力は前述の電気的引力、又は水和力によって生じる。
【００１０】
また、被処理水中に溶解するＣａ２＋、Ｆｅ３＋等の陽イオンの量が多いほど、同時に形成されたスケール結晶体の表面のプラス帯電力が増し、また、上記結晶の集合体の濃度も増加してスケール成長性も高くなる。
【００１１】
次に、変調電場処理法により被処理水用配管の内壁等にスケールが付着するのを防止するメカニズムを図１に示す。前述のように、被処理水と接する配管内壁、貯槽内壁等の表面はマイナスに帯電しているが、変調電場処理された水中で形成されるスケール結晶体の表面は、図１に示すように中性またはマイナスに帯電する。この同符号電位間の電気的斥力によって、反発力を生じて、前記内壁表面などへのスケール付着を防止する。また、このとき、スケール結晶体同士も反発力によって分散し、スケール成長性を抑制し、小粒子化した結晶が多くできやすい。
【００１２】
また、変調電場処理した水の浸透性が増加するに伴い、スケール結晶体内部での結晶体の溶解と再結晶化及びスケール結晶体表面のマイナス帯電による反発力によってスケール結晶体は小粒子化され、そのため分散されやすくなる。こうして被処理水の高流速部では小粒子化した結晶が流下除去され易くなり、低流速部ではそれらが沈降・堆積しやすくなる。
【００１３】
また、硬質のスケール、例えばシリカ主体のスケール結晶体は、そのスケール表面が平滑であればあるほど、変調電場処理水の浸透力を阻害させ、その軟化及び除去に長い時間を要する。また、被処理水のｐＨが低いほど、また温度が低いほど、スケール除去又はスケール軟化に時間がかかる。しかし、硬質のスケールであっても、通常の凹凸面を有するスケールの場合は、本発明の変調電場処理で容易に軟化又は除去できるものが多い。
【００１４】
軟質スケール、例えばＦｅ（ＯＨ）３、Ｃａ（ＯＨ）２等は水和物（Ｆｅ（ＯＨ）３・ｎＨ２Ｏ）としてスケールを形成し、本発明の変調電場処理水と前記水和物内の水分子との置換が阻害され易く、スケール除去効果が小さい。また軟質スケールが他のスライム防止剤または防食剤として用いられるポリマー薬剤により付着物を形成している場合も本発明の変調電場処理を阻害しやすい。
【００１５】
本発明の変調電場処理は好ましくは１０Ｈｚ〜１０ＭＨｚ、より好ましくは１００Ｈｚ〜１ＭＨｚ、さらに好ましくは７００Ｈｚ〜３０００Ｈｚの帯域で周波数が時間的に変化する方形波の交流電流を流すコイルを流体流路に巻き付けて行う。
【００１６】
また、本発明の変調電場処理により鉄製の装置壁面に黒錆が生成するメカニズムについて以下説明する。
本発明の変調電場処理により発生する渦電流の原因となる誘導電場Ｅが図２（ａ）に示すように形成され、その誘導電場Ｅが図２（ｂ）に示すように極大値となり、これが電子供与帯として還元状態となる。
【００１７】
水中の溶存酸素は次式に従ってＯＨイオンとして働き、つぎの反応式のように黒錆が生成する。黒錆が生成すると、以後壁面の腐食が進行しないので、黒錆は防食作用がある。
Ｏ２＋２Ｈ２Ｏ＋４e−→４ＯＨ−
Ｆｅ２Ｏ３（赤錆）→Ｆｅ３Ｏ４（黒錆）
なお、本発明の変調電場処理によって帯電する箇所は水中における水−スケール結晶、水−ガス（空気等）、水−配管内壁等、水−油分等の界面等である。
また、本発明は上記各方法の発明を実施するための装置も含む。
【００１８】
本発明の変調電場処理による各種装置内でのスケール防止、スケールの除去及び各種装置の腐食防止、油含有排水の流路の詰まり防止、各種流体流路の壁面への海生物付着防止等の効果を有効に作用させるための諸方法と、その効果確認方法について、以下に説明する。
【００１９】
本発明の変調電場処理法を実効性のあるものにするためには、机上試験方法で当該変調電場処理による効果の確認をした上で、本発明の変調電場処理を実機で行うことが望ましく、その実例について説明する。
【００２０】
（１）未処理水
未処理水を図３に示す机上試験装置に通過させ、机上試験装置用の被処理液を調整する。
机上試験は、パイプ１に巻いたコイル２に、経過時間に対して電流値の異なる交流電流（出力０．１４Ａから２５Ａの間で変化、周波数１０Ｈｚ〜１０ＭＨｚ）を流して電磁波を変換器３で発生させた状態で、ボトル４内の被処理水をパイプ１を通過させることにより行う。
前記机上試験装置で処理した被処理水をビーカ５で受け取り、その一部をガラス板６（図４）上に滴下させて常温乾燥し、乾燥した試料の界面部における結晶体の変化を顕微鏡で確認して、変調電場処理効果の程度を判定する。
なお、実機条件において高温下である場合には前記机上試験でも実機と同一条件となるように加温等を行い、同様の判定を行う。
【００２１】
（２）実機処理水
直接ガラス板上に処理水を滴下させ、常温乾燥させる。次いで乾燥した試料の界面部での結晶体等の変化により変調電場処理効果の判定をするのは未処理水の場合と同様である。実機処理条件下に類似する処理により装置を選定の上、再度、机上処理液を調整し、変調電場処理出力不足等の確認及び変調電場処理を阻害するカチオン系薬剤等の薬剤、浮遊物質などの不純物の残留の有無を確認し、適切に対応した後実機で処理を再開することが必要である。
また変調電場処理出力は机上試験の結果と実機の条件を勘案して適切な出力を設定する。
【００２２】
本発明者らは薬剤が被処理水中に混入している条件で本発明の変調電場処理を行った場合、変調電場処理効果が発揮されなかったり、逆作用を及ぼす場合があることについて、その原因を見いだすべく、鋭意検討した結果、特定の薬剤が被処理水中に含まれる場合に、被処理水の変調電場処理が阻害されることを発見した。また他の特定の薬剤を添加すると、被処理水の変調電場処理が促進されることを発見した。
【００２３】
被処理水の変調電場処理を阻害させる薬剤として、次のような種類のものがあった。
１．界面活性剤（カチオン系）
２．高分子剤 （カチオン系）
３．清缶剤（ボイラー）
４．スケール防止剤
５．防食剤（リン酸塩系、カチオン系高分子を含む）
６．スライム防止剤
７．帯電防止剤
８．リンス剤（乾燥仕上剤）
９．床ワックス剤
１０．その他、消泡剤（シリコーン系）、海生物付着防止剤等
【００２４】
被処理水の変調電場処理を阻害させる前記薬剤に共通する性質を見極めることができれば、当該性質を有する薬剤を被処理水から除去した後に変調電場処理を行うことで、効果的に変調電場処理を行うことができる。
【００２５】
例えば、前記スライム防止剤である第四級アンモニウム塩はプラスに帯電していることは周知のことである（鈴木静夫著「冷却水の障害と処理」（株）コロナ社、昭和４３年発行参照）ので、前記薬剤は固体表面電位をプラスに帯電させる「カチオン系」薬剤であると考えられる。
【００２６】
前記カチオン系薬剤が防食剤として機能する場合には、次のようなメカニズムに基づくものと考えられる。
すなわち、カチオン系薬剤がマイナスに帯電する流体配管内壁をプラスに帯電させる共に、スケール結晶体表面のプラス荷電力を高め、プラス（流体配管内壁）対プラス（スケール結晶体）の反発力によって流体配管内壁面にスケールが付着するのを防止する。また、スケール結晶間の反発力によってスケール結晶体の成長性も抑制する。すなわち、上記防食剤の腐食防止作用は本発明の変調電場処理作用でスケール結晶体をマイナスに帯電させて、マイナス帯電の流体配管内壁と反発させることで防食させることとは正反対の帯電作用に基づくものである。
【００２７】
処理対象水の変調電場処理を阻害させる薬剤は、上記したようにメカニズムによりスケール結晶体をプラスに帯電させる薬剤であると推定し、本発明ではこれらの列挙した１．〜１０．の薬剤をカチオン系薬剤であると定義する。
【００２８】
従って、本発明の変調電場処理作用で流体配管内壁面へのスケール付着及び／又は除去を図るためには、予め前記カチオン系薬剤を除去しておくか、これらの薬剤注入を停止するのが有効である。ただし、製造工程において不可欠な薬剤であり、先の３〜１０の薬剤でなければ変調電場処理装置の出力の高い機種を選定し、先に述べた顕微鏡による机上試験による効果確認を実施し、界面変化等良好であると判定されれば、その場合は本発明の変調電場処理作用を阻害する薬剤の影響が無くなったと考えられるので、そのとき条件の合致した変調電場処理装置の出力で処理を行うことができる。
【００２９】
処理対象水の変調電場処理を阻害させる上記薬剤の主なものについて、以下説明する。
１．界面活性剤
界面活性剤はカチオン性（プラス）、アニオン性（マイナス）及びノニオン性界面活性剤に分別されるが、泡切れがよい、手に着かない等のコマーシャルで、よく耳にする洗剤の大部分はアニオン系界面活性剤であり、変調電場処理装置への阻害作用の無いものである。皿、コップ、手などは負（マイナス）に帯電しているのでアニオン系洗剤を使用すると水洗いしやすい。旧世代の洗剤はカチオン系のものであり、現在、家庭用にはほとんど使用されなくなったが、工業用には、まだ使用しているところが見られる。
【００３０】
２．スケール分散剤
キレート剤、ヘキサメタリン酸ソーダなどであるが、マイナスに帯電する配管内壁をプラス帯電させると共に、スケール結晶体表面のプラス荷電力を高め、プラス−プラスの反発力によってスケール付着を防止する薬剤である。また、スケール結晶間の反発力によって、スケール結晶の成長性も抑制する。
【００３１】
３．スライム防止剤
塩素剤に代表される抗菌力、また第４級アンモニウム塩の有する殺菌力は負に帯電する細菌、藻類等に良く吸着しやすいが、これは、スライム防止剤が正の荷電を有しているためである。スライム防止剤を過剰に注入すると、その強力な酸化作用が被処理水中に残留するために腐食障害を起こすおそれがある。
【００３２】
４．防食剤
重合リン酸塩類や高分子類等からなり、リン酸またはポリマー被膜を生成して、防食効果を得るものである。ただし、過剰に注入すると、スケール防止剤中のヘキサメタリン酸と同様なリン酸カルシウムの生成があるだけでなく、加水分解で生成されたリン酸イオンは細菌類の必須栄養源となり、スライム生成による障害が生じることもある。
また、前記スライム防止剤を用いる場合、その強い酸化力によって、鋼材腐食が促進するため、防食剤が併用されることが多い。この場合、マイナスに帯電する配管内壁に被膜状に付着し、プラスに帯電させる。すなわちプラス帯電しているスライム防止剤を配管内壁から反発させることで、配管内壁の腐食防止を図るものである。
【００３３】
以上のように、スケール防止剤、スライム防止剤又は防食剤などは、そのプラス帯電作用により、その目的を達成するためのものであり、三種複合剤としても用いられる場合もある。
【００３４】
なお、カチオン性高分子剤が使用されている設備において、本発明の変調電場処理を適用すると、前記高分子剤の使用を停止しても残留するカチオン性高分子剤の影響により、逆作用を生じ、配管内壁面に軟質物質が付着し、障害を起こすおそれがある。従って、カチオン性高分子剤を含む被処理水に本発明の変調電場処理を適用する場合には、装置内の被処理水をすべて入れ替えると共に、補給水量を増加させ、残留するカチオン性高分子剤の除去を行う必要がある。
【００３５】
５．浮遊物質（ＳＳ）の影響
浮遊物質（ＳＳ）は水に不溶解性の物質であり、泥、Ｆｅ・Ａｌ系凝集ブロック、スケール結晶も含まれる。泥などの浮遊物質（ＳＳ）は、その大部分がマイナスに帯電しているが、Ｆｅ・Ａｌ系凝集フロック又はスケール結晶の大部分はプラスに帯電している。
【００３６】
本発明の変調電場処理を行なった水は、プラスに強く帯電している浮遊物質（ＳＳ）によってマイナス帯電力が減少し、その結果、変調電場処理が済んだ被処理水と未処理水から成る混合水のマイナス帯電力を失う場合がある。
【００３７】
さらに、プラス帯電する浮遊物質の量が３０００ｐｐｍ以上であると、本発明の変調電場処理作用が阻害される。これは浮遊物質に帯電力が消費され、未帯電スケール結晶が残留することによるものと考えられる。
【００３８】
また浮遊物質がマイナスに帯電する性質を有する場合でも、カチオン系薬剤が被処理水に多く含まれる場合には浮遊物質にカチオン系薬剤が付着して、全体としてカチオン性を帯びることがある。
従って、机上試験を行い、本来マイナスに帯電している浮遊物質であっても、本発明の変調電場処理を適用する前に浮遊物質を被処理水から除去することが必要な場合がある。
【００３９】
被処理水に本発明の変調電場処理を適用するには、前記薬剤を含まない原水に変調電場処理を行った後に、当該処理済みの原水を浮遊物質を含む被処理水と混合すると、混合される被処理水中の浮遊物質を帯電させる効果が高くなる。
【００４０】
本発明の変調電場処理効果を促進させる方法として、１．アニオン系薬品との併用処理法、２．処理炭酸ナトリウムまたは炭酸水素ナトリウムの注入法があることを本発明者らは発見した。
【００４１】
１．アニオン系薬品との併用処理法
過度にプラスに帯電したスケール結晶体を形成する被処理水に対して、本発明の変調電場処理単独では効果が出ない場合には、アニオン系薬剤を低濃度で被処理水に注入することで、良好な処理効果が得られる。この場合には、変調電場処理装置も低出力のもので対応することができる。
【００４２】
２．炭酸ナトリウムまたは炭酸水素ナトリウムの注入法
カルシウムスケール障害の激しい設備においては炭酸ナトリウムまたは炭酸水素ナトリウム注入を併用することで、上記アニオン系薬剤の併用処理と同様に、変調電場処理の効果を促進させることができる。
【００４３】
シリカが存在することで本発明の変調電場処理効果が得られないときには、上記薬剤の他にナトリウム化合物（ＮａＯＨ等）を注入することも有効である。
【００４４】
なお、浮遊物質を含む被処理水に前記アニオン系薬品又は炭酸ナトリウムまたは炭酸水素ナトリウム等を添加することで、本発明の変調電場処理を適用する前に浮遊物質を被処理水から除去する必要がない場合もある。
【００４５】
以上、変調電場処理における配管内壁等へのスケールの付着防止、付着したスケールの除去及び配管内壁等の腐食防止、油含有排水配管等の詰まり防止、配管内壁等への海産物付着防止等の効果に対して、顕微鏡による効果確認方法を用いることにより有効な処理方法の選別が可能となった。
なお、本明細書において「電場処理」とは被処理水の近傍に配置したコイルに交流電流を流すことから、被処理水に「電磁波を作用させること」を意味している。
【００４６】
【発明の効果】
本発明によれば低コストの装置を用いて、しかも操作性の優れた方法で流体流路を構成する壁面が浄化され、錆び、スケール、海生物などの付着防止及び／又は除去、配管の付着物による詰まり防止が可能になる。
【００４７】
【発明の実施の形態】
本発明の実施の形態について図面とともに説明する。
まず、本発明の実施の形態の変調電場処理が実際に効果があったのか確認する本発明の机上試験方法について説明し、当該変調電場処理による効果の確認をした上で、本発明の変調電場処理の実例について説明する。
【００４８】
未処理水を図３に示す机上試験装置に通過させ、机上試験装置用の被処理液を調整するが、前記机上試験装置による試験は、パイプ１に巻いたコイル２に経過時間に対して電流値の異なる交流電流（出力０．１４Ａから２５Ａの間で変化、周波数１０Ｈｚ〜１０ＭＨｚ）を流して電磁波を変換器３で発生させた状態で、ボトル４内の被処理水をパイプ１を通過させる。ビーカ５で受けた処理水の一部をガラス板６（図４）上に滴下させて常温乾燥し、図４（図４（ａ）は平面図、図４（ｂ）は側面図）に示す試料の界面部における乾燥結晶体の変化を顕微鏡で確認して、変調電場処理効果の程度を判定を実施する。
【００４９】
マイナス帯電したスケールの結晶体の界面付近からの反発性が最も確認される箇所はＡ（図４（ｂ））である。ただし、スケール結晶体の比重が大きい場合、その反発力が現れにくくなる。
【００５０】
なお、実機条件において高温下である場合には前記机上試験でも実機と同一条件となるように加温等を行い、同様の判定を行う。
【００５１】
ここで、変調電場処理効果の程度の判定方法は次のようにして行う。前記顕微鏡検査の結果、未処理水と比べて次のような変化を示す場合、効果「良」と判定する。
【００５２】
第一に小粒子結晶の生成が有ることであり、これは大型のスケール結晶体が変調電場処理によって小粒子化及び分散性が高まったことを示す。また、第二に界面変化があって、粒子集合性が低下し、分散性を示すか又は粒子の反発性が有り、界面に寄っていた粒子が変調電場処理によって界面から離れた状態を示すことである。さらに第三に結晶成長性が無くなり、界面を基として、枝状に成長していた結晶体が小粒子化するか、または枝状結晶を消失した状態を示すことである。
【００５３】
これに対して、変調電場処理効果がないと判定するのは、未処理水と比べて、次のような変化を示す場合である。
【００５４】
小粒子結晶の生成が無く、また前記界面での変化が無い場合である。この場合には、パイプ１の通液回数を増加させると、界面付近への粒子反発性が無く、むしろ粒子集合性を示し、結晶が成長する傾向がある。
【００５５】
次に本発明の変調電場処理を阻害する薬剤を含む場合と当該薬剤を除いた場合の変調電場処理の結果について述べる。
【００５６】
（１）界面活性剤
表１に各種シャンプー・リンス類を本発明の変調電場処理の前記図３に示す机上試験を行った結果を示す。
【００５７】
【表１】
0003674676.tif 000002
【００５８】
表１に示すように本発明の変調電場処理で処理効果のある界面活性剤と処理効果のない界面活性剤があるが、前述のことから本発明の変調電場処理で処理効果のある界面活性剤（○）が負の表面電位を有するアニオン性の界面活性剤であり、本発明の変調電場処理で処理効果のない界面活性剤（×）がカチオン性の表面電位を有する界面活性剤であり、本発明の変調電場処理で処理効果があまりない界面活性剤（△）はその極性が不明な界面活性剤である。
【００５９】
本発明の変調電場処理で処理効果のある界面活性剤（○）、処理効果のない界面活性剤（×）及び処理効果があまりない界面活性剤（△）について、机上試験の結果を、それぞれ図５、図６及び図７の顕微鏡検査写真に示す。
【００６０】
図５（×（１００）１５μｍ／目盛）は「シャンプーＥ」２００ｐｐｍを含む被処理水、図６（×（１００）１５μｍ／目盛）は「ボディソープＣ」１００ｐｐｍを含む被処理水、図７（×（１００）１５μｍ／目盛）は「シャンプーＦ」２００ｐｐｍを含む被処理水の結果である。
【００６１】
図５に示す写真は界面付近に小粒子結晶が散在していて、本発明の変調電場処理の効果が良くでていることを示している。一方、図６に示す写真では、界面に大きな塊が付着していて本発明の変調電場処理効果がないことを示している。
【００６２】
（２）高分子剤
変調電場処理していない冷却設備の循環水をガラス上で乾燥させた後の顕微鏡写真を図８（ａ）（×（１００）１５μｍ／目盛）に示すが、界面付近に大きな結晶体が寄っており、スケールが生じている設備であることが分かる。
【００６３】
この循環水に本発明の机上試験を３回、５回行った後の顕微鏡写真を撮ったが図８（ｂ）（×（１００）１５μｍ／目盛）には机上試験を５回行った後の顕微鏡写真を示す。界面にはスケール結晶体粒子の集合性が見られる。
【００６４】
図８（ａ）、図８（ｂ）に示すように、１回の処理での粒子の分散性を生じた状態は、３回〜５回と処理回数を増やすと、荷電中和による凝集性を示していることから、カチオン系薬剤の混入が予想されたが、この薬品は防食を目的とするカチオン系高分子物質を含むものであることが後で判明した。
【００６５】
このように高分子薬剤が注入されていると、界面付近での粒子の集合性が高まっており、この被処理水に本発明の変調電場処理を行っても効果が無いことが分かる。
【００６６】
（３）清缶剤
ある市販されている特定の清缶剤を含む被処理水の変調電場処理効果を見るために、机上試験で変調電場処理を行った被処理水に当該清缶剤の濃度を増加させながら添加した。その結果を図９の顕微鏡検査写真に示す。図９（ａ）（×（１００）１５μｍ／目盛）は前記清缶剤１０ｐｐｍを含む被処理水、図９（ｂ）（×（１００）１５μｍ／目盛）は前記清缶剤２００ｐｐｍを含む被処理水の写真であり、薬剤注入量が増えると共に、界面付近での粒子の集合性が高まり、本発明の変調電場処理の適用ができないことが明らかとなった。
【００６７】
（４）スケール分散剤
変調電場処理した水道水に市販されている特定のスケール分散剤の濃度を種々変化させて加え、前記手順に従って得た界面の顕微鏡写真を図１０（ａ）と図１０（ｂ）に示す。
図１０（ａ）（×（１００）１５μｍ／目盛）はスケール防止剤５０ｐｐｍを含む被処理水、図１０（ｂ）（×（１００）１５μｍ／目盛）はスケール防止剤２００ｐｐｍを含む被処理水の写真であり、薬剤注入量が増えると共に、界面付近での粒子の集合性が高まっており、机上試験の判定方法によりカチオン系薬剤であると推定した。従って、カチオン系スライム防止剤を含む被処理水に本発明の変調電場処理を行っても効果が無いことが分かる。
【００６８】
（５）防食剤
特定の市販重合リン酸塩系防食剤を１００ｐｐｍ含む被処理水を本発明の変調電場処理を行わないで、界面の様子を見た顕微鏡写真が図１１（×（１００）１５μｍ／目盛）であり、本発明の変調電場処理を行った被処理水の界面の様子を見た顕微鏡写真が図１２（×（１００）１５μｍ／目盛）であるが、この場合も、カチオン系防食剤を含む被処理水に本発明の変調電場処理を行っても効果が無いことが分かる。
【００６９】
（６）スライム防止剤
変調電場処理した水道水に特定の市販スライム防止剤の濃度を種々変化させて加え、前記手順に従って得た界面の顕微鏡写真を図１３（ａ）と図１３（ｂ）に示す。
図１３（ａ）（×（１００）１５μｍ／目盛）はスライム防止剤１０ｐｐｍを含む被処理水、図１３（ｂ）（×（１００）１５μｍ／目盛）はスライム防止剤２００ｐｐｍを含む被処理水の写真であり、薬剤注入量が増えると共に、界面付近での粒子の集合性が高まっており、机上試験の判定方法によりカチオン系薬剤であると推定した。この場合も、カチオン系スライム防止剤を含む被処理水に本発明の変調電場処理を行っても効果が無いことが分かる。
【００７０】
（７）帯電防止剤
変調電場処理した被処理水に特定の市販帯電防止剤の濃度を種々変化させて加え、前記手順に従って得た界面の顕微鏡写真を図１４（ａ）と図１４（ｂ）に示す。
図１４（ａ）（×（１００）１５μｍ／目盛）は帯電防止剤と界面活性剤を１０ｐｐｍを含む被処理水、図１４（ｂ）（×（１００）１５μｍ／目盛）は帯電防止剤と界面活性剤を２００ｐｐｍを含む被処理水の写真であり、薬剤注入量が増えると共に、界面付近での粒子の集合性が高まっており、机上試験の判定方法によりカチオン系薬剤であると推定した。この場合も、カチオン系スライム防止剤を含む被処理水に本発明の変調電場処理を行っても効果が無いことが分かる。
【００７１】
（８）リンス剤
変調電場処理した被処理水に特定の市販されているリンス剤の濃度を種々変化させて加え、前記手順に従って得た界面の顕微鏡写真を図１５（ａ）と図１５（ｂ）に示す。
図１５（ａ）（×（１００）１５μｍ／目盛）はリンス剤５０ｐｐｍを含む被処理水、図１５（ｂ）（×（１００）１５μｍ／目盛）はリンス防止剤２００ｐｐｍを含む被処理水の写真であり、薬剤注入量が増えると共に、界面付近での粒子の集合性が高まっており、机上試験の判定方法によりカチオン系薬剤であると推定した。この場合も、リンス剤を含む被処理水に本発明の変調電場処理を行っても効果が無いことが分かる。
【００７２】
（９）海生物付着防止剤
変調電場処理した被処理水に特定の市販海生物付着防止剤の濃度を種々変化させて加え、前記手順に従って机上試験を行い、界面の顕微鏡写真を図１６（ａ）と図１６（ｂ）に示す。
図１６（ａ）（×（１００）１５μｍ／目盛）は海生物付着防止剤５０ｐｐｍを含む被処理水、図１６（ｂ）（×（１００）１５μｍ／目盛）は海生物付着防止剤２００ｐｐｍを含む被処理水の写真であり、薬剤注入量が増えると共に、界面付近での粒子の集合性が高まっており、机上試験の判定方法によりカチオン系薬剤であると推定した。この場合も、海生物付着防止剤を含む被処理水に本発明の変調電場処理を行っても効果が無いことが分かる。
【００７３】
（１０）防食剤（重合リン酸塩）を含む被処理水に本発明の変調電場処理法を適用した例
発電所設備の軸受け冷却水のサンプリングラックを長期間使用中にスケールが付着するので、その対策として本発明の変調電場処理を適用した。
【００７４】
図１７には発電所設備の軸受け冷却水の循環系を示す。冷却水タンク１０には薬品注入設備１１から随時防食剤（重合リン酸塩）が注入され、また工業用水も補給される。冷却水タンク１０からは熱交換装置１２の軸受けに冷却水が循環供給されるが、当該熱交換装置１２の軸受け部分の冷却水は複数並列設置されているサンプリングラック１３を経由した冷却水タンク１０に戻る。
【００７５】
本発明の変調電場処理装置１４はサンプリングラック１３への導入部の各循環冷却水配管１５に設けられる。そして変調電場処理水を冷却水タンク１０に流入させるが、このとき、薬品注入設備１１から防食剤（重合リン酸塩）を添加した。
【００７６】
図１８（ａ）にはサンプリングラック１３の冷却器の外側にスケールが付着した状況を示す。図１８（ｂ）には本発明の変調電場処理１４を４ヶ月間連続して行った後のサンプリングラック１３の冷却器の外側のスケールの状態を示す。
【００７７】
被処理水にカチオン系の防食剤（重合リン酸塩）が含まれたままで変調電場処理したため、スケールは軟質化しているが、冷却器に付着したままであり、スケール除去効果が十分ではない。
【００７８】
また図１９（ａ）には本発明の変調電場処理をする前の前記サンプリングラック１３の冷却器を収納しているケースにスケールが多く付着している状態を示す写真である。図１９（ｂ）には防食剤（重合リン酸塩）を含む被処理水を本発明の変調電場処理装置１４で４ヶ月間連続して処理を行った後の前記ケーシングの内壁面を示すが、赤錆表面の軟質化と、黒錆が多く形成されていることが確認された。
【００７９】
（１１）懸濁物質（ＳＳ）を含む被処理水に本発明の変調電場処理法を適用した例
図２０に示すディーゼル発電機の開放型冷却設備の二次冷却水の循環流路に本発明の変調電場処理を適用した。
図２０で熱交換器１７から排出する二次冷却水は開放型冷却塔１８で冷却されてポンプ１９とストレーナ２０を介して再び熱交換器に戻される。この実機の二次冷却水の循環流路に本発明の変調電場処理装置１４を適用するに先立ち、この二次冷却水の循環流路の壁面にスケールが付着することを防止するために使用されるスライム防止剤及びスケール分散剤を二次冷却水に添加してある場合に本発明の変調電場処理が効果的か否か確認する机上試験を行った。
【００８０】
変調電場処理した水道水に特定の市販スライム防止剤とスケール防止剤の濃度を１０、５０、１００、２００ｐｐｍと変化させて加え、前記手順に従って得た界面の顕微鏡写真の代表例を図２１（ａ）と図２１（ｂ）にそれぞれ示す。
図２１（ａ）（×（１００）１５μｍ／目盛）はスライム防止剤１００ｐｐｍを含む被処理水、図２１（ｂ）（×（１００）１５μｍ／目盛）はスケール防止剤１００ｐｐｍを含む被処理水の写真を示すが、薬剤注入量が増えると共に、界面付近での粒子の集合性と結晶成長性が高まっていることが分かる。
【００８１】
そして、図２０に示す開放型冷却塔１８の底部に残留していた乳白色ポリマー状の物質を採取し、顕微鏡検査を実施した結果を図２２に示す。図２２に示す界面上にスケール成分が集合しているが、これは、スケール分散剤を含む懸濁物質であることが分かる。
【００８２】
そして図２３はスケール分散剤を含む懸濁物質を除去する前に熱交換器１７でのスケールが付着した状況を示す写真（特に配管の上半分にスケールが多く付着している）である。しかしストレーナ２０を設置して懸濁物質を除去した後に本発明の変調電場処理装置１４を適用した所、図２４に示すように熱交換器１７はきれいになりスケール付着物が全く無かった。
【００８３】
次に変調電場処理を促進させる実施の形態について述べる。
地熱発電設備への本発明の変調電場処理装置を適用した場合について、補助薬剤（炭酸水素ナトリウム）との併用で変調電場処理装置単独での処理以上の効果が得られるかどうか、机上試験を行った。前記手順に従って得た界面の顕微鏡写真を図２５（ａ）（×（１００）１５μｍ／目盛）と図２５（ｂ）（×（１００）１５μｍ／目盛）に炭酸水素ナトリウムをそれぞれ１０ｐｐｍと１００ｐｐｍ添加した場合の結果を示す。
【００８４】
図２５（ａ）に示す界面の状態に比較して図２５（ｂ）に示す場合には、界面よりの小粒子が少なく、界面から粒子が反発していることが分かる。このように補助薬剤（炭酸水素ナトリウム）の併用とその添加量を多くすることで変調電場処理装置単独での処理以上の効果が得られることが判明した。
【図面の簡単な説明】
【図１】  本発明の変調電場処理法により被処理水用配管の内壁等にスケールが付着するのを防止するメカニズムを説明する図である。
【図２】  図２（ａ）は本発明の変調電場処理により発生する渦電流の原因となる誘導電場を示す図であり、図２（ｂ）は、その誘導電場が極大値となり、これが電子供与帯として還元状態となることを説明する図である。
【図３】  本発明の机上試験用の変調電場処理装置を示す図である。
【図４】  本発明の机上試験用の変調電場処理装置による変調電場処理効果の程度を判定をするための乾燥させた試料の界面部における乾燥結晶体を示す図である（図４（ａ）は平面図、図４（ｂ）は側面図）。
【図５】  本発明の実施の形態の変調電場処理で効果のある界面活性剤を含む被処理水の顕微鏡検査写真である。
【図６】  本発明の実施の形態の変調電場処理で効果のない界面活性剤を含む被処理水の顕微鏡検査写真である。
【図７】  本発明の実施の形態の変調電場処理で効果があまりない界面活性剤を含む被処理水の顕微鏡検査写真である。
【図８】  本発明の実施の形態の変調電場処理で効果があまりないスケール障害を起こしている被処理水の顕微鏡検査写真（図８（ａ））であり、図８（ｂ）は前記被処理水の机上試験を５回行った後の顕微鏡写真を示す。
【図９】  本発明の実施の形態の変調電場処理後の被処理水に清缶剤を添加した場合の顕微鏡写真（図９（ａ）は清缶剤１０ｐｐｍを含む被処理水、図９（ｂ）は清缶剤２００ｐｐｍを含む被処理水）である。
【図１０】  本発明の実施の形態の変調電場処理した被処理水にスケール防止剤を添加した場合の顕微鏡写真（図１０（ａ）はスケール防止剤１０ｐｐｍを含む被処理水、図１０（ｂ）はスケール防止剤２００ｐｐｍを含む被処理水）である。
【図１１】  本発明の実施の形態の変調電場処理した被処理水に重合リン酸塩系防食剤を添加した場合の顕微鏡写真である。
【図１２】  本発明の変調電場処理を行った重合リン酸塩系防食剤を含む被処理水の界面の様子を見た顕微鏡写真である。
【図１３】  本発明の実施の形態の変調電場処理した被処理水にスライム防止剤を添加した場合の顕微鏡写真（図１３（ａ）はスライム防止剤１５ｐｐｍを含む被処理水、図１３（ｂ）はスライム防止剤２００ｐｐｍを含む被処理水）である。
【図１４】  本発明の実施の形態の変調電場処理した被処理水に帯電防止剤と界面活性剤を添加した場合の顕微鏡写真（図１４（ａ）は帯電防止剤と界面活性剤１０ｐｐｍを含む被処理水、図１４（ｂ）は帯電防止剤と界面活性剤を２００ｐｐｍを含む被処理水）である。
【図１５】  本発明の実施の形態の変調電場処理した被処理水にリンス剤を添加した場合の顕微鏡写真（図１５（ａ）はリンス剤５０ｐｐｍを含む被処理水、図１５（ｂ）はリンス剤２００ｐｐｍを含む被処理水）である。
【図１６】  本発明の実施の形態の変調電場処理した被処理水に海生物付着防止剤を添加した場合の顕微鏡写真（図１６（ａ）は海生物付着防止剤５０ｐｐｍを含む被処理水、図１６（ｂ）は海生物付着防止剤２００ｐｐｍを含む被処理水）である。
【図１７】  発電所設備の軸受け冷却水の循環系を示す図である。
【図１８】  図１８（ａ）には図１７の発電所設備の軸受け冷却水の循環系のサンプリングラックの冷却器の外側にスケールとして付着した状況を示し、図１８（ｂ）には防食剤（重合リン酸塩）を注入したまま、本発明の変調電場処理を４ヶ月間連続して行ったため、逆にスケール障害を生じた実例を示す。
【図１９】  図１９（ａ）には本発明の変調電場処理をする前の前記サンプリングラックの冷却器を収納しているケースにスケールが付着している状態を示す写真であり、図１９（ｂ）には防食剤（重合リン酸塩）を含む被処理水に対して４ヶ月間連続して本発明の変調電場処理を行った後の前記ケーシングの内壁面を示す。
【図２０】  ディーゼル発電機の開放型冷却設備の二次冷却水の循環流路に本発明の変調電場処理装置を適用したフロー図を示す。
【図２１】  本発明の実施の形態の変調電場処理した水道水に特定の市販スライム防止剤を加え、前記手順に従って得た界面の顕微鏡写真（図２１（ａ））と本発明の実施の形態の変調電場処理した水道水に特定の市販スケール防止剤を加え、前記手順に従って得た界面の顕微鏡写真（図２１（ｂ））である。
【図２２】  図２０に示す開放型冷却塔の底部に残留していた乳白色ポリマー状の物質を採取し、顕微鏡写真である。
【図２３】  スケール分散剤を含む懸濁物質を除去する前に熱交換器でのスケール付着状況を示す写真である。
【図２４】  ストレーナを設置して懸濁物質を除去した後に本発明の変調電場処理を行った熱交換器を示す写真である。
【図２５】  本発明の変調電場処理を促進させる補助薬剤（炭酸水素ナトリウム）の効果を示す机上試験の結果を示す界面の顕微鏡写真である（図２５（ａ）と図２５（ｂ）に炭酸水素ナトリウムをそれぞれ１０ｐｐｍと１００ｐｐｍ添加した場合の結果を示す）。
【図２６】  被処理水用配管の内壁等にスケールが付着するメカニズムを説明する図である。
【符号の説明】
１  パイプ                        ２  コイル
３  変換器                        ４  ボトル
５  ビーカ                        ６  ガラス板
１０  冷却水タンク                １１  薬品注入設備
１２  熱交換装置                  １３  サンプリングラック
１４  変調電場処理装置            １５  循環冷却水配管
１７  熱交換器                    １８  開放型冷却塔
１９  ポンプ                      ２０  ストレーナ
【図１】
0003674676.tif 000003
【図２】
0003674676.tif 000004
【図３】
0003674676.tif 000005
【図４】
0003674676.tif 000006
【図５】
0003674676.tif 000007
【図６】
0003674676.tif 000008
【図７】
0003674676.tif 000009
【図８】
0003674676.tif 000010
【図９】
0003674676.tif 000011
【図１０】
0003674676.tif 000012
【図１１】
0003674676.tif 000013
【図１２】
0003674676.tif 000014
【図１３】
0003674676.tif 000015
【図１４】
0003674676.tif 000016
【図１５】
0003674676.tif 000017
【図１６】
0003674676.tif 000018
【図１７】
0003674676.tif 000019
【図１８】
0003674676.tif 000020
【図１９】
0003674676.tif 000021
【図２０】
0003674676.tif 000022
【図２１】
0003674676.tif 000023
【図２２】
0003674676.tif 000024
【図２３】
0003674676.tif 000025
【図２４】
0003674676.tif 000026
【図２５】
0003674676.tif 000027
【図２６】
0003674676.tif 000028